(57)【特許請求の範囲】
【請求項１】
複数のディスプレイが縦方向に互いに隣接するように設置自在な設置面を有する設置部材と、
前記設置面が上向きになるメンテナンス時姿勢と前記設置面が上下方向に延びる使用時姿勢との間で回転自在に前記縦方向における前記設置部材の第１支持部を支持する第１支柱と、
前記縦方向における前記第１支持部とは異なる前記設置部材の第２支持部を支持する第２支柱であって、前記第２支柱の第１端部が前記第２支持部に回転自在に取り付けられ、前記設置部材を前記メンテナンス時姿勢に保持する第１長さと前記使用時姿勢に保持する第２長さであって前記第１長さよりも長い第２長さとに伸縮及び保持自在な第２支柱と、を備えるディスプレイ設置台。
【請求項２】
前記第１支持部は、前記使用時姿勢における前記縦方向において前記設置部材の中央部より下側に位置し、前記第２支持部は、前記使用時姿勢における前記縦方向において前記設置部材の中央部より上側に位置する、請求項１に記載のディスプレイ設置台。
【請求項３】
前記第１支柱を支持するベース部材をさらに備え、
前記第２支柱における前記第１端部の反対側の第２端部は、前記設置部材が前記使用時姿勢に配置された状態において前記ベース部材に支持される、請求項１又は２に記載のディスプレイ設置台。
【請求項４】
前記ベース部材は、第１キャスタを有する、請求項３に記載のディスプレイ設置台。
【請求項５】
前記ベース部材は、前記第１キャスタを有する第１基台、及び一端部を前記第１基台にスライド自在に支持されて他端部に第２キャスタを有する第２基台を含み、前記第２基台は前記第１基台に対して収納及び引き出し自在に構成され、
前記第１基台は前記第１支柱を支持し、前記第２基台は前記第２支柱を支持する、請求項４に記載のディスプレイ設置台。
【請求項６】
前記設置部材は、前記第１支柱及び前記第２支柱に支持される設置部材本体、及び前記複数のディスプレイのそれぞれに取り付け自在であるとともに前記設置部材本体に対して着脱自在である複数の取付体を含み、
前記設置部材本体は、前記複数の取付体のそれぞれの取付箇所の側面に設けられた複数の第１取付孔を有し、
前記複数の取付体のそれぞれは、前記設置部材本体への装着状態において前記複数の第１取付孔と貫通するように配置された第２取付孔を有する、請求項１から５のいずれかに記載のディスプレイ設置台。
【請求項７】
複数のディスプレイが縦方向に互いに隣接するように設置自在な設置面が上向きになるメンテナンス時姿勢と前記設置面が上下方向に延びる使用時姿勢との間で回転自在に前記縦方向における第１支持部を第１支柱によって支持された設置部材を前記メンテナンス時姿勢に配置する第１工程と、
前記縦方向における前記第１支持部とは異なる前記設置部材の第２支持部に第１端部が回転自在に取り付けられた伸縮自在な第２支柱を、前記設置部材を前記メンテナンス時姿勢に保持する第１長さへ伸縮させ、前記第１長さに保持させる第２行程と、
前記複数のディスプレイを前記縦方向に互いに隣接するように前記設置面に設置する第３行程と、
前記設置部材を前記使用時姿勢に配置する第４工程と、
前記設置部材を前記使用時姿勢に保持する第２長さであって前記第１長さよりも長い第２長さへ前記第２支柱を伸縮させ、前記第２支柱を前記第２長さに保持させる第５工程と、を備えるディスプレイ設置方法。
【発明の詳細な説明】
【技術分野】
【０００１】
この発明は、複数のディスプレイを設置自在なディスプレイ設置台に関する。
【背景技術】
【０００２】
近年、複数のディスプレイによって１つの表示画面が構成されるマルチディスプレイが知られている。マルチディスプレイには、互いに隣接するディスプレイ間の映像の連続性の低下を抑制し、見やすい映像を提供するために、額縁の幅が狭いディスプレイを用いることが好ましい。
【０００３】
マルチディスプレイを構成する複数のディスプレイを設置する際に、複数のディスプレイを上下に積み重ねるためには、作業者が、重いディスプレイを持ちながら脚立に上る必要があり、作業性が良くなかった。
【０００４】
そこで、一対のガイドレールの上方からワイヤロープでディスプレイを吊り下げて下降させ、ガイドレール間にディスプレイを順に積み上げていく構成が提案されている（例えば、特許文献１参照。）。
【先行技術文献】
【特許文献】
【０００５】
【特許文献１】特開２００１−３１２２２６公報
【発明の概要】
【発明が解決しようとする課題】
【０００６】
しかし、特許文献１に記載の構成では、ディスプレイをガイドレールの上まで一旦持ち上げる必要がある。また、ディスプレイをガイドレールの上からガイドレール間に挿入するので、ガイドレールの上側にディスプレイの縦寸法以上の空間を必要とする。さらに、下側に配置されたディスプレイを修理する場合は、修理対象のディスプレイより上側に配置されたディスプレイの全てをガイドレール間から取り出す必要がある。また、ディスプレイをガイドレールに沿って移動させるためにはディスプレイとガイドレールとの間に隙間を設ける必要があるので、設置後においてもディスプレイががたつく虞がある。さらに、ディスプレイを横方向にも複数並べる場合に、ガイドレールがディスプレイ間に配置されるのでディスプレイ同士の間隔が大きくなり、横方向に互いに隣接するディスプレイ間の映像の連続性が低下する。また、複数のディスプレイのそれぞれに対する電気配線の作業を高い場所で行う必要がある。したがって、作業性が良くない。
【０００７】
この発明の目的は、複数のディスプレイの設置の作業性が良いディスプレイ設置台及びディスプレイ設置方法を提供することにある。
【課題を解決するための手段】
【０００８】
この発明のディスプレイ設置台は、設置部材、第１支柱、及び第２支柱を備える。設置部材は、複数のディスプレイが縦方向に互いに隣接するように設置自在な設置面を有する。第１支柱は、設置面が上向きになるメンテナンス時姿勢と設置面が上下方向に延びる使用時姿勢との間で回転自在に縦方向における設置部材の第１支持部を支持する。第２支柱は、縦方向における第１支持部とは異なる設置部材の第２支持部を支持する。第２支柱は、第２支柱の第１端部が第２支持部に回転自在に取り付けられ、設置部材をメンテナンス時姿勢に保持する第１長さと使用時姿勢に保持する第２長さとに伸縮及び保持自在に構成される。
【０００９】
この構成では、ディスプレイ設置台に対するディスプレイの設置、取り外し、及びディスプレイの修理等のメンテナンス時に、設置部材は、メンテナンス時姿勢に配置され、第１長さに保持された第２支柱によってメンテナンス時姿勢に保持される。設置部材がメンテナンス時姿勢に保持されることで、全てのディスプレイを、作業者が脚立に上らなくても手が届くような低い位置で設置部材に設置可能になる。また、ディスプレイを設置部材に設置する前にディスプレイを設置部材上に置くことができるので、取り付け作業前にディスプレイの傾きやズレの調整を容易に行うことができる。さらに、額縁の幅が狭いディスプレイが設置部材に設置される場合でも、ディスプレイを水平方向にしてディスプレイの背面を持って搬送し、水平方向のまま設置部材上に置いて設置することができるので、ディスプレイの表示部を掴んで移動することによるディスプレイの損傷が防止される。また、複数のディスプレイのそれぞれに対する電気配線の作業も、作業者が脚立に上らなくても手が届くような低い位置で行うことが可能になる。ディスプレイが設置部材に設置されると、設置部材は使用時姿勢に配置され、第２支柱が第２長さに保持されることで、設置部材が使用時姿勢に保持される。これによって、複数のディスプレイが上下方向に互いに隣接するように配置され、複数のディスプレイについて設置スペースを省スペース化することができる。
【００１０】
上述の構成において、第１支持部は、使用時姿勢における縦方向において設置部材の中央部より下側に位置し、第２支持部は、使用時姿勢における縦方向において設置部材の中央部より上側に位置するように構成することができる。第１支柱と第２支柱とが縦方向における設置部材の中央部に対して互いに反対側に配置されることで、設置部材がメンテナンス時姿勢に配置されたときの設置部材の安定性が向上する。
【００１１】
また、第１支柱を支持するベース部材をさらに備え、第２支柱における第１端部の反対側の第２端部は、設置部材が使用時姿勢に配置された状態においてベース部材に支持されるように構成することができる。第２支柱の第２端部がベース部材に支持されることで、設置部材が使用時姿勢により安定的に保持される。
【００１２】
さらに、ベース部材は、第１キャスタを有するように構成することができる。設置部材が使用時姿勢に配置された状態において、第１支柱及び第２支柱がともにベース部材に支持されており、ベース部材が第１キャスタを有するので、ディスプレイが設置されたディスプレイ設置台を、使用時姿勢において容易に移動させることができる。このため、ディスプレイの設置場所の調整が容易になる。
【００１３】
また、ベース部材は、第１キャスタを有する第１基台、及び一端部を第１基台にスライド自在に支持されて他端部に第２キャスタを有する第２基台を含み、第２基台は第１基台に対して収納及び引き出し自在に構成され、第１基台は第１支柱を支持し、第２基台は第２支柱を支持するように構成することができる。設置部材が使用時姿勢に配置された状態では第２基台は第１基台に収納され、設置部材がメンテナンス時姿勢に配置された状態では、第２基台は第１基台から引き出される。これによって、第１支柱及び第２支柱は、設置部材がメンテナンス時姿勢及び使用時姿勢の何れの姿勢に配置された状態においても、第１キャスタ及び第２キャスタによって支持される。このため、設置部材がメンテナンス時姿勢及び使用時姿勢の何れの姿勢に配置された状態においても、ディスプレイ設置台を容易に移動させることができる。
【００１４】
さらに、設置部材は、第１支柱及び第２支柱に支持される設置部材本体、及び複数のディスプレイのそれぞれに取り付け自在であるとともに設置部材本体に対して着脱自在である複数の取付体を含み、設置部材本体は、複数の取付体のそれぞれの取付箇所の側面に設けられた複数の第１取付孔を有し、複数の取付体のそれぞれは、設置部材本体への装着状態において複数の第１取付孔と貫通するように配置された第２取付孔を有するように構成することができる。ディスプレイのそれぞれに取り付けられた取付体を、設置部材本体に対して側面から取り付け作業を行うことができるので、設置部材に対するディスプレイの設置の作業性が向上する。
【００１５】
この発明のディスプレイ設置方法は、複数のディスプレイが縦方向に互いに隣接するように設置自在な設置面が上向きになるメンテナンス時姿勢と設置面が上下方向に延びる使用時姿勢との間で回転自在に縦方向における第１支持部を第１支柱によって支持された設置部材をメンテナンス時姿勢に配置する第１工程と、縦方向における第１支持部とは異なる設置部材の第２支持部に第１端部が回転自在に取り付けられた伸縮自在な第２支柱を、設置部材をメンテナンス時姿勢に保持する第１長さへ伸縮させ、第１長さに保持させる第２行程と、複数のディスプレイを縦方向に互いに隣接するように設置面に設置する第３行程と、設置部材を使用時姿勢に配置する第４工程と、設置部材を使用時姿勢に保持する第２長さへ第２支柱を伸縮させ、第２支柱を第２長さに保持させる第５工程と、を備える。
【発明の効果】
【００１６】
この発明によれば、複数のディスプレイの設置の作業性が良くなる。
【図面の簡単な説明】
【００１７】
【図１】この発明の実施形態に係るディスプレイ設置台を横方向に複数並べた状態を示す正面図である。
【図２】（Ａ）は、複数のディスプレイが設置された状態のディスプレイ設置台の正面図であり、（Ｂ）は、複数のディスプレイが設置された状態のディスプレイ設置台の側面図であり、（Ｃ）は、複数のディスプレイが設置された状態のディスプレイ設置台の背面図である。
【図３】（Ａ）は、ディスプレイが設置されていない状態の使用時姿勢のディスプレイ設置台の正面図であり、（Ｂ）は、ディスプレイが設置されていない状態の使用時姿勢のディスプレイ設置台の側面図であり、（Ｃ）は、ディスプレイが設置されていない状態の使用時姿勢のディスプレイ設置台の背面図である。
【図４】ディスプレイ設置台の分解斜視図である。
【図５】（Ａ）は、メンテナンス時姿勢のディスプレイ設置台の側面図であり、（Ｂ）は、複数のディスプレイを設置部材に設置作業中の状態を示す図である。
【図６】メンテナンス時姿勢において複数のディスプレイが設置された状態のディスプレイ設置台を示す図である。
【図７】使用時姿勢における第２支柱の状態を示す図である。
【図８】（Ａ）は、他の実施形態に係るディスプレイ設置台の設置部材に含まれる設置部材本体の背面図であり、（Ｂ）は、（Ａ）に記載の実施形態に係るディスプレイ設置台の設置部材に含まれる取付体の背面図であり、（Ｃ）は、（Ｂ）に記載の取付体がディスプレイに取り付けられた状態を示す図である。
【図９】図８に示す実施形態に係るディスプレイ設置台に複数のディスプレイを設置作業中の状態を示す図である。
【図１０】さらに他の実施形態に係るディスプレイ設置台の、複数のディスプレイが設置された状態の側面図である。
【発明を実施するための形態】
【００１８】
以下に、この発明を実施するための形態について、図面に基づいて説明する。
【００１９】
図１、図２（Ａ）、図２（Ｂ）、及び図２（Ｃ）に示すように、ディスプレイ設置台１０は、複数のディスプレイ１が上下方向９１に互いに隣接するように、複数のディスプレイ１のそれぞれの背面部を支持可能に構成されている。複数のディスプレイ１は、上下方向９１において互いの間隔をあけることなく配置されることが好ましい。
【００２０】
一例として、ディスプレイ設置台１０は、横方向９２に複数、隣接配置され、これによって複数のディスプレイ１がマトリクス配置されて、マルチディスプレイが構成される。マルチディスプレイでは、複数のディスプレイの表示部によって１つの表示画面が構成される。
【００２１】
ディスプレイ設置台１０の横方向９２の寸法は、ディスプレイ１の横方向９２の寸法に対して、２ｍｍ以上１０ｍｍ以下の範囲内で小さく構成されている。これによって、図１に示すように、複数のディスプレイ設置台１０を横方向９２に隣接配置した場合に、ディスプレイ１同士の横方向９２における間隔をあけることなく複数のディスプレイ１を設置することができる。
【００２２】
ディスプレイ１として、額縁の幅が狭いディスプレイを用いることが好ましく、これによって、互いに隣接するディスプレイ１間の映像の連続性の低下が抑制され、見やすい映像が提供される。
【００２３】
図３（Ａ）、図３（Ｂ）、図３（Ｃ）、及び図４に示すように、ディスプレイ設置台１０は、設置部材２０、第１支柱３０Ｒ，３０Ｌ、第２支柱４０Ｒ，４０Ｌ、ベース部材５０を備えている。
【００２４】
設置部材２０は、金属製であり、設置部材本体２１、及び複数の取付体２２を備えている。
【００２５】
設置部材本体２１は、柱状部材によって長方形に枠組みされた形状を呈している。設置部材２０にディスプレイ１が取り付けられた場合のディスプレイ１の縦方向、即ち、設置部材本体２１の長手方向を、縦方向９３とする。
【００２６】
取付体２２は、プレート状を呈し、ディスプレイ１を取り付けるための複数の取付孔を有している。複数の取付体２２は、縦方向９３において互いに所定間隔をあけて、設置部材本体２１に固定されている。複数の取付体２２は、ディスプレイ１が取り付けられる側のそれぞれの面が設置部材本体２１の一方の面とともに１つの面を形成するように、設置部材本体２１に固定されている。設置部材本体２１及び複数の取付体２２によって形成された面が、設置部材２０におけるディスプレイ１の設置面２３である。
【００２７】
ベース部材５０は、ベース台５１、第１ベース台カバー５２、及び第２ベース台カバー５３、複数の第１キャスタ５４、及び複数のアジャスタロック５５を備えている。
【００２８】
ベース台５１は、金属製であり、複数の第１キャスタ５４及び複数のアジャスタロック５５を取り付けるための複数の孔５１１，５１２を有しており、ベース台５１の下面に、複数の第１キャスタ５４及び複数のアジャスタロック５５が取り付けられる。
【００２９】
ベース台５１は、第１支柱３０Ｒ，３０Ｌが固定される凹部５１３，５１４を有し、凹部５１３，５１４内には貫通孔が設けられ、第１支柱３０Ｒ，３０Ｌは、凹部５１３，５１４に嵌め込まれた上で、ベース台５１の下面からネジ留めされる。
【００３０】
ベース台５１は、第２支柱支持部５１５，５１６をさらに有している。第２支柱支持部５１５，５１６は、ベース第５１の上面に突出するように設けられている。第２支柱支持部５１５，５１６は、設置部材２０が上下方向９１に長くなるように配置された状態における取付面２３に直交する方向において、凹部５１３，５１４よりディスプレイ設置台１０の背面側に配置されている。
【００３１】
第１ベース台カバー５２は、金属製であり、ベース台５１を覆うように一方の側面が開放された箱型を呈し、ベース台５１に側方から被せられる。第１ベース台カバー５２は、下面に、複数の第１キャスタ５４及び複数のアジャスタロック５５のそれぞれを通過させる切り欠き部を有し、上面に、第１支柱３０Ｒ，３０Ｌのそれぞれを通過させる切り欠き部５２１，５２２を有している。さらに、第１ベース台カバー５２は、第２支柱支持部５１５，５１６のそれぞれの外側面を覆う化粧部材５２３，５２４を有している。
【００３２】
第２ベース台カバー５３は、金属製であり、ベース台５１が第１ベース台カバー５２に収納された後に、第１ベース台カバー５２の一側面の開口を塞ぐように構成されている。また、第２ベース台カバー５３は、第１支柱３０Ｒ，３０Ｌの占有スペースを残して切り欠き部５２１，５２２を塞ぐ舌片部５３１，５３２を有している。
【００３３】
第１支柱３０Ｒ，３０Ｌは、金属製であり、下端部をベース台５１に支持されて略鉛直方向に立設されており、上端部において設置部材２０の第１支持部２４Ｒ，２４Ｌを回転自在に支持している。これによって、設置部材２０は、図５（Ａ）に示すように設置面２３が上向きになるメンテナンス時姿勢と、図３（Ａ）、図３（Ｂ）及び図３（Ｃ）に示すように設置面２３が上下方向９１に延びる使用時姿勢との間で回転自在にされている。
【００３４】
第１支持部２４Ｒ，２４Ｌは、設置部材２０が上下方向９１に長くなるように配置された状態における縦方向９３において、設置部材２０の中央部より下側に位置する。
【００３５】
第２支柱４０Ｒ，４０Ｌは、金属製であり、縦方向９３における第１支持部２４Ｒ，２４Ｌとは異なる設置部材２０の第２支持部２５Ｒ，２５Ｌを支持している。第２支柱４０Ｒ，４０Ｌは、第１端部４１Ｒ，４１Ｌが第２支持部２５Ｒ，２５Ｌに回転自在に取り付けられている。第２支柱４０Ｒ，４０Ｌは、設置部材２０をメンテナンス時姿勢に保持する第１長さと使用時姿勢に保持する第２長さとに伸縮自在であり、かつ、第１長さと第２長さとに保持自在に構成されている。第２支持部２５Ｒ，２５Ｌは、使用時姿勢における縦方向９３において設置部材２０の中央部より上側に位置する。一例として、第２支持部２５Ｒ，２５Ｌは、使用時姿勢における縦方向９３において設置部材２０の上端部に位置する。
【００３６】
図５（Ａ）に示すように、ディスプレイ設置台１０では、ディスプレイ設置台１０に対するディスプレイ１の設置、取り外し、及びディスプレイ１の修理等のメンテナンス時に、設置部材２０は、第１支柱３０Ｒ，３０Ｌに軸支された第１支持部２４Ｒ，２４Ｌを中心に回転して、メンテナンス時姿勢に配置される。
【００３７】
設置部材２０がメンテナンス時姿勢に配置されると、第２支柱４０Ｒ，４０Ｌは、第１長さに短縮されて第１長さに保持されるとともに、略鉛直方向に配置され、下端部を床面に支持される。これによって、設置部材２０は、略水平方向に保持される。なお、メンテナンス時姿勢における設置部材２０の傾斜角度は、水平方向に限定されることなく、水平方向に対して、ディスプレイ１が滑り落ちない程度（例えば、５度以下）に傾斜していてもよい。
【００３８】
設置部材２０がメンテナンス時姿勢に保持されることで、全てのディスプレイ１を、作業者が脚立に上らなくても手が届くような低い位置で設置部材２０に設置可能になる。また、ディスプレイ１を設置部材２０に設置する前にディスプレイ１を設置部材２０の設置面２３上に置くことができるので、取り付け作業前にディスプレイ１の縦方向９３における傾きやズレの調整を容易に行うことができる。さらに、額縁の幅が狭いディスプレイ１が設置部材２０に設置される場合でも、ディスプレイ１を水平方向にしてディスプレイ１の背面を持って搬送し、水平方向のまま設置部材２０上に置いて設置することができるので、ディスプレイ１の表示部を掴んで移動することによるディスプレイ１の損傷が防止される。また、複数のディスプレイ１のそれぞれに対する電気配線の作業も、作業者が脚立に上らなくても手が届くような低い位置で行うことが可能になる。
【００３９】
ディスプレイ１は、、縦方向９３において、第１支持部２４Ｒ，２４Ｌに対して第２支持部２５Ｒ，２５Ｌ側の端部から順に、設置部材２０上に載置されることが好ましい。ディスプレイ１は、背面にネジ孔を有し、下方から取付体２２の取付孔を通してねじ込まれたネジによって取付体２２に取り付けられる。
【００４０】
第１支持部２４Ｒ，２４Ｌは、縦方向９３において、使用時姿勢における設置部材２０の下端部側から、１／５以上１／３以下の範囲内の領域に配置されることが好ましい。特に、３台のディスプレイ１をディスプレイ設置台１０に設置する場合は、第１支持部２４Ｒ，２４Ｌは、縦方向９３において、使用時姿勢における設置部材２０の下端部側から１／３の箇所に位置することが好ましい。これによって、設置部材２０上にディスプレイ１を置いた際の設置部材２０の意図しない回転が防止される。また、設置部材２０をメンテナンス時姿勢から使用時姿勢に回転させる際に、第１支持部２４Ｒ，２４Ｌに対して第２支持部２５Ｒ，２５Ｌの反対側に設置されたディスプレイ１の質量及び設置部材２０自体の重量バランスによって、設置部材２０を回転させるために必要な力を小さくすることができる。
【００４１】
図６に示すように、ディスプレイ１が設置部材２０に設置されると、図７に示すように、設置部材２０は使用時姿勢に配置される。設置部材２０が使用時姿勢に配置されると、第２支柱４０Ｒ，４０Ｌは、第２長さに伸長され、例えばネジ留めによって第２長さに保持され、第１端部４１Ｒ，４１Ｌの反対側の第２端部４２Ｒ，４２Ｌが、ベース部材５０の第２支柱支持部５１５，５１６に、例えばネジ留めによって固定される。これによって、設置部材２０は使用時姿勢に保持される。
【００４２】
設置部材２０が使用時姿勢に保持されることで、複数のディスプレイ１が上下方向に互いに隣接するように配置され、複数のディスプレイ１について設置スペースを省スペース化することができる。
【００４３】
また、設置部材２０が使用時姿勢に配置された状態において、第１支柱３０Ｒ，３０Ｌ及び第２支柱４０Ｒ，４０Ｌがともにベース部材５０に支持されており、ベース部材５０が第１キャスタ５４を有するので、ディスプレイ１が設置されたディスプレイ設置台１０を、使用時姿勢において容易に移動させることができる。このため、ディスプレイ１の設置場所の調整が容易になる。
【００４４】
図８（Ａ）、図８（Ｂ）、及び図８（Ｃ）に示すように、他の実施形態に係るディスプレイ設置台１１０では、設置部材１２０は、第１支柱３０Ｒ，３０Ｌ及び第２支柱４０Ｒ，４０Ｌに支持される設置部材本体１２１、並びに複数のディスプレイ１のそれぞれに取り付け自在であるとともに設置部材本体１２１に対して着脱自在である複数の取付体１２２を含むように構成されている。
【００４５】
設置部材本体１２１は、複数の取付体１２２のそれぞれの取付箇所の側面に設けられた複数の第１取付孔１２１１を有する。複数の取付体１２２のそれぞれは、設置部材本体１２１への装着状態において複数の第１取付孔１２１１と貫通するように配置された第２取付孔１２２１を有する。
【００４６】
ディスプレイ設置台１１０では、図８（Ｃ）に示すように、まず取付体１２２がディスプレイ１の背面にネジ留め等によって取り付けられる。次に、図９に示すように、取付体１２２を下側にしてディスプレイ１が、第１取付孔１２１１と第２取付孔１２２１とが貫通するように、設置部材本体１２１上に載置される。次に、第１取付孔１２１１と第２取付孔１２２１とを貫通するように取付体１２２が設置部材本体１２１に側面からネジ留めされる。
【００４７】
ディスプレイ設置台１１０によれば、ディスプレイ１のそれぞれに取り付けられた取付体１２２を、設置部材本体１２１に対して側面から取り付け作業を行うことができるので、設置部材１２０に対するディスプレイ１の設置の作業性が向上する。
【００４８】
図１０に示すように、さらに他の実施形態に係るディスプレイ設置台２１０では、ベース部材２５０は、第１キャスタ２５４を有する第１基台２５１、及び一端部を第１基台２５１にスライド自在に支持されて他端部に第２キャスタ２５６を有する第２基台２５２を含むように構成されている。
【００４９】
第２基台２５２は、第１基台２５１に対して収納及び引き出し自在に構成されている。収納位置において、第２キャスタ２５６は第１キャスタ２５４の近傍に配置される。引き出し位置において、図１０に示すように、第２キャスタ２５６は第１キャスタ２５４から離間した位置に配置される。第１基台２５１は、第１支柱３０Ｒ，３０Ｌを支持している。第２基台２５２は、第２キャスタ２５６が配置された側の端部において第２支柱４０Ｒ，４０Ｌを支持している。
【００５０】
ディスプレイ設置台２１０によれば、設置部材２０が使用時姿勢に配置された状態では第２基台２５２は第１基台２５１に収納され、設置部材２０がメンテナンス時姿勢に配置された状態では、第２基台２５２は第１基台２５１から引き出される。これによって、第１支柱３０Ｒ，３０Ｌ及び第２支柱４０Ｒ，４０Ｌは、設置部材２０がメンテナンス時姿勢及び使用時姿勢の何れの姿勢に配置された状態においても、第１キャスタ２５４及び第２キャスタ２５６によって支持される。このため、設置部材２０がメンテナンス時姿勢及び使用時姿勢の何れの姿勢に配置された状態においても、ディスプレイ設置台２１０を容易に移動させることができる。
【００５１】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５２】
１  ディスプレイ
１０，１１０，２１０  ディスプレイ設置台
２０，１２０  設置部材
２１，１２１  設置部材本体
２２，１２２  取付体
２３  取付面
２４Ｒ，２４Ｌ  第１支持部
２５Ｒ，２５Ｌ  第２支持部
３０Ｒ，３０Ｌ  第１支柱
４０Ｒ，４０Ｌ  第２支柱
４１Ｒ，４１Ｌ  第１端部
４２Ｒ，４２Ｌ  第２端部
５０，２５０  ベース部材
５４，２５４  第１キャスタ
２５６  第２キャスタ
９１  上下方向
９２  横方向
９３  縦方向
１２１１  第１取付孔
１２２１  第２取付孔
【図１】
0005610965.tif 000002
【図２】
0005610965.tif 000003
【図３】
0005610965.tif 000004
【図４】
0005610965.tif 000005
【図５】
0005610965.tif 000006
【図６】
0005610965.tif 000007
【図７】
0005610965.tif 000008
【図８】
0005610965.tif 000009
【図９】
0005610965.tif 000010
【図１０】
0005610965.tif 000011